(57)【特許請求の範囲】
【請求項１】
インライン方式のカラー陰極線管に使用され、電子銃からスクリーン側に広がるラッパ状に形成されたコイル枠に鞍型に巻回された水平偏向コイルを備える偏向ヨークにおいて、偏向ヨークのスクリーン側で、かつ、スクリーンの四隅部に到達するビームの通過する位置に近接し、陰極線管の管軸を含む水平面からみて管軸を中心とする角度３０〜５０°の位置に、水平偏向コイルの一部を該コイルの巻回方向に対して逆方向に巻回して形成した小ループ部分を設けたことを特徴とする偏向ヨーク。
【請求項２】
前記小ループ部分は、水平偏向コイルの一部を巻回して形成し、主ループに内接または外接する位置に設けたことを特徴とする請求項１に記載の偏向ヨーク。
【請求項３】
インライン方式のカラー陰極線管に使用され、電子銃からスクリーン側に広がるラッパ状に形成されたコイル枠に鞍型に巻回された水平偏向コイルを備える偏向ヨークにおいて、偏向ヨークのスクリーン側で、かつ、スクリーンの四隅部に到達するビームの通過する位置に近接させて、水平偏向コイルの長手部と渡り部の境界部分で長手部および渡り部の一部を該コイルループの内側に向けて屈曲させ、略Ｌ字状に形成した屈曲部分を設けたことを特徴とする偏向ヨーク。
【請求項４】
屈曲部分は、偏向ヨークのスクリーン側で、かつ、陰極線管の管軸を含む水平面からみて管軸を中心とする角度３０〜５０°の位置に設けたことを特徴とする請求項３に記載の偏向ヨーク。
【請求項５】
屈曲部分は、屈曲部分を有しないコイルループと組み合わせて構成したことを特徴とする請求項３または４に記載の偏向ヨーク。
【発明の詳細な説明】
【０００１】
【発明の属する技術分野】
この発明は、インライン方式のカラー陰極線管に使用される偏向ヨークに関する。
【０００２】
【従来の技術】
図９は一般的なインライン方式のカラー陰極線管の水平断面図である。図において、１は偏向ヨーク、２は水平偏向コイル、３は垂直偏向コイル、４は磁性体コア、５は電子銃、６は水平断面内に一列に並んだ３本の電子ビーム、７はスクリーンを示す。なお、図では３本の電子ビームを、電子銃５から出射された位置において、スクリーン側から見て右から（図９では上から）順にＲビーム、Ｇビーム、Ｂビームと呼んで区別する。
【０００３】
通常、水平偏向コイル２、垂直偏向コイル３は鞍型を成しており、それぞれ、上下、左右に一対ずつ配置されている。また図示されていないが、この他に、ラスター歪みやミスコンバーゼンスを補正するための永久磁石や補助コイルを備えることが多い。
【０００４】
このような構成のカラー陰極線管において、水平偏向磁界と垂直偏向磁界を図１０（ａ）と（ｂ）にそれぞれ示すような斉一磁界とすると、図１０（ｃ）に示すように、スクリーン７上にＲビームがＢビームの左側に位置するミスコンバーゼンスが現れる。なお、図１０（ａ）および（ｂ）は偏向ヨーク中央部付近の管軸に垂直な断面内でのそれぞれ水平および垂直磁界分布を表すものであり、８は磁束線を示している。また、図１０（ｃ）はスクリーン７上での縦線を表している。
【０００５】
上記のようなミスコンバーゼンスは、３本の電子ビーム６がスクリーン７より偏向ヨーク１側の位置で収束し、交差した後にスクリーン７に到達するために生じる。このように、スクリーン７上でＲビームがＢビームの左側に位置するミスコンバーゼンスを正のミスコンバーゼンスと呼ぶ。逆に、スクリーン７上でＲビームがＢビームの右側に位置するミスコンバーゼンスを負のミスコンバーゼンスと呼ぶ。
【０００６】
スクリーン７の左右端領域に生じる正のミスコンバーゼンスを補正するため、水平偏向コイルは、図１１（ａ）に示すようなピンクッション（糸巻）型の磁界分布（以下、ピン磁界と称す。）を発生するように、巻線分布の調整が行なわれている。ピン磁界を強くしていくと、水平偏向作用に加えて、Ｒビームを右側に、Ｂビームを左側に移動させる力、すなわち、ミスコンバーゼンスを正から負に変化させる作用が働く。したがってピン磁界の強さを適正とすれば、図１２（ａ）に示すようなスクリーン７の左右端領域に生じる正のミスコンバーゼンスを補正し、図１２（ｂ）に示すように、該領域においてミスコンバーゼンスの無い状態をつくることができる。
【０００７】
また、スクリーン７の上下端領域に生じる正のミスコンバーゼンスを補正するため、垂直偏向コイルは、図１１（ｂ）に示すようなバレル（樽）型の磁界分布（以下、バレル磁界と称す。）を発生するように、巻線分布の調整が行なわれている。バレル磁界を強くしていくと、垂直偏向作用に加えて、Ｒビームを右側にＢビームを左側に移動させる力、すなわち、ミスコンバーゼンスを正から負に変化させる作用が働く。したがってバレル磁界の強さを適正とすれば、図１３（ａ）に示すようなスクリーン７の上下端領域に生じる正のミスコンバーゼンスを補正し、図１３（ｂ）に示すように、該領域においてミスコンバーゼンスの無い状態をつくることができる。
【０００８】
然るに、電子ビーム６がスクリーン７の四隅部に偏向される場合は、上記水平偏向ピン磁界の作用と垂直偏向バレル磁界の作用の両方の影響を受ける。さらにピンまたはバレル磁界によるミスコンバーゼンス補正効果は、一般に、スクリーン７の左右または上下端部よりも四隅部の方が大きい。そのためスクリーン７の左右または上下端部で最適な補正量となるようにピンまたはバレル磁界の強さを調整した場合、四隅部ではミスコンバーゼンスを正から負に変える補正量が過多となることが多い。この場合、スクリーン７の四隅部では、図１１（ｃ）に示すように負のミスコンバーゼンスが残ることになる。
【０００９】
このような問題点を克服するための技術として、例えば特開平８−１２９９７４号公報に開示された方法がある。図１４は前記公報に掲載された偏向ヨークの水平偏向装置の上半分を示す図であり、（ａ）は正面図、（ｂ）は下面図である。図において水平偏向コイル２はラッパ型のコイル枠９の内側に鞍型に巻き付けられている。さらに、本例では水平偏向装置１０の開口部に水平偏向コイル２に直列に接続された小ループ偏向コイル１１が設けられている。なお、矢印は水平偏向コイル２の巻回方向を示すものである。
【００１０】
小ループ偏向コイル１１は、偏向ヨークの開口部で、水平偏向コイル２の発生するピン磁界の強さを弱めるような磁界分布を発生する。したがって、四隅部の磁界分布を左右端部よりも弱いピン磁界とすることができ、四隅部でのミスコンバーゼンス補正量が過度に大きくなることを防ぐことができる。
【００１１】
【発明が解決しようとする課題】
上記のような従来の偏向ヨークでは、小ループ偏向コイル１１の作用の及ぶ範囲が広く、スクリーン四隅部のミスコンバーゼンスを補正できても、その他周辺部のミスコンバーゼンスがかえって増大するという問題点があった。
【００１２】
この発明は、かかる問題点を解決するためになされたもので、スクリーン周辺部のミスコンバーゼンスを局所的に補正することができる簡単な構成の偏向ヨークを提供することを目的としている。
【００１３】
【課題を解決するための手段】
本発明の第１の構成に係る偏向ヨークは、インライン方式のカラー陰極線管に使用され、電子銃からスクリーン側に広がるラッパ状に形成されたコイル枠に鞍型に巻回された水平偏向コイルを備える偏向ヨークにおいて、偏向ヨークのスクリーン側で、かつ、スクリーンの四隅部に到達するビームの通過する位置に近接し、陰極線管の管軸を含む水平面からみて管軸を中心とする角度３０〜５０°の位置に、水平偏向コイルの一部を該コイルの巻回方向に対して逆方向に巻回して形成した小ループ部分を設けたものである。
【００１５】
本発明の第２の構成に係る偏向ヨークは、第１の構成において、小ループ部分は、水平偏向コイルの一部を巻回して形成し、主ループに内接または外接する位置に設けたものである。
【００１６】
本発明の第３の構成に係る偏向ヨークは、インライン方式のカラー陰極線管に使用され、電子銃からスクリーン側に広がるラッパ状に形成されたコイル枠に鞍型に巻回された水平偏向コイルを備える偏向ヨークにおいて、偏向ヨークのスクリーン側で、かつ、スクリーンの四隅部に到達するビームの通過する位置に近接させて、水平偏向コイルの長手部と渡り部の境界部分で長手部および渡り部の一部を該コイルループの内側に向けて屈曲させ、略Ｌ字状に形成した屈曲部分を設けたものである。
【００１７】
本発明の第４の構成に係る偏向ヨークは、第３の構成において、屈曲部分は、偏向ヨークのスクリーン側で、かつ、陰極線管の管軸を含む水平面からみて管軸を中心とする角度３０〜５０°の位置に設けたものである。
【００１８】
本発明の第５の構成に係る偏向ヨークは、第３または第４の構成において、屈曲部分は、屈曲部分を有しないコイルループと組み合わせて構成したものである。
【００１９】
【発明の実施の形態】
実施の形態１．
図１は本発明の実施の形態１による偏向ヨークの水平偏向装置の上半分を示す構成図である。図において、１０は水平偏向装置、２は水平偏向コイル、９はコイル枠であり、水平偏向コイル２は電子銃からスクリーン側に広がるラッパ状に形成されたコイル枠９に鞍型に巻回されている。
【００２０】
図１に示すように、本実施の形態は、偏向ヨークのスクリーン側に水平偏向コイル２の一部を該コイルの巻回方向に対して逆方向に巻回して形成した小ループ部分１２を設けたものである。小ループ部分１２は、水平偏向コイル２の長手部１３と渡り部１４との境界部分に、主ループに内接するように配されており、ラッパ型のコイル枠９の内面に突出するように設けられた係止片１５に、水平偏向コイル２の巻線の一部を巻き付けることで形成されている。小ループ部分１２の巻回方向は、図２（ａ）、（ｂ）にそれぞれ正面図および下面図で示すように、主ループの巻回方向に対して逆方向となっている。
なお、水平偏向コイル２の長手部とは、巻線の一部でコイル枠９の内面に沿う部分を指し、渡り部とはコイル枠９の円周部に沿う部分を指す。また主ループとは小ループ部分１２を設けない場合の巻線経路を指す。
【００２１】
前記のように構成された偏向ヨークにおいては、小ループ部分１２はその近傍で主たる水平偏向磁界とは逆極性の磁界を発生する。この磁界の作用によってスクリーン四隅領域での負のミスコンバーゼンスを補正することができる。
【００２２】
このことを説明するために図３を用いる。図３は電子ビームがスクリーンの右上隅部に偏向される場合に小ループ部分１２が発生する磁界分布を示す。図において６は３本の電子ビーム、矢印１６は電子ビーム６が小ループ部分１２の近傍を通過する際に、小ループ部分１２が発生する磁界から受けるローレンツ力の水平方向の分力を示している。
【００２３】
この水平分力１６の大きさは、Ｒビームの方がＢビームよりも大きい。これはＲビームの方がＢビームよりも小ループ部分１２との距離が近いために磁界の強さが大きいことと、小ループ部分１２の発生する磁束線の向きがＲビームの側でより垂直方向に立ち上がっているためにＲビームが受けるローレンツ力は水平成分が主となるためである。
【００２４】
上記水平分力によって３本のビームはスクリーンの左側に向かって移動するが、上述のようにこの分力はＲビームの方がＢビームよりも大きいため、移動量はＲビームの方がＢビームよりも大きい。したがってＧビームを基準としてみた場合、Ｒビームは左側にＢビームは右側に移動する力を受ける。これはミスコンバーゼンスを正の方向に変化させる作用である。したがって、スクリーン右上隅部に生じる負のミスコンバーゼンスを補正することができる。他のスクリーン隅部における作用も同様である。
【００２５】
なお、上記小ループ部分は、スクリーンの四隅部に到達するビームに局所的に作用することが望ましいので、スクリーン四隅部に到達するビームの通過する位置に近接させて設けることが望ましい。この目的に対しては、管軸を含む水平面からみて管軸を中心とする角度３０〜５０°の位置とすれば、スクリーンの四隅部に対するミスコンバーゼンス補正作用が最も大きくなる。また、小ループ部分１２の面積を小さくすることにより、四隅部以外のコンバーゼンスに与える影響を小さくすることができる。上記の角度はスクリーン形状の縦横比によって異なるが、概ね上記の範囲内で良好な補正ができる。
また、小ループ部分１２はミスコンバーゼンスを補正するとともに四隅部のビームを左右方向内側へ曲げる作用を持たせることができるので、糸巻型の歪曲収差を補正する手段としても使える。
【００２６】
実施の形態２．
上記実施の形態１では、小ループ部分１２を主ループに内接するように構成したが、図４（ａ）、（ｂ）にそれぞれ正面図および下面図で示すように、主ループの長手部に外接するように構成してもよい。このような構成とすることで、巻線が密集している場合に他の巻線との干渉などの原因で、実施の形態１のような構成では小ループ部分１２を形成することが困難な場合に、通常は巻線間隔に余裕のある、主ループの中心部に近い巻線の長手部を利用して小ループ部分１２を形成することができる。
【００２７】
実施の形態３．
また、図５（ａ）、（ｂ）にそれぞれ正面図および下面図で示すように、小ループ部分１２をコイル枠９からスクリーン側に突出させ、渡り部に外接するように構成してもよい。このような構成とすれば、小ループ部分１２を設ける位置の自由度が大きく、また、小ループ部分１２と他の巻線との干渉も少なく、製造が容易である。
【００２８】
実施の形態４．
図６は本発明の実施の形態４による偏向ヨークの水平偏向装置の上半分を示す構成図である。図において、水平偏向コイル２は、ラッパ型のコイル枠９に鞍型に巻き付けられている。
【００２９】
本実施の形態では、図６に示すように、水平偏向コイルの長手部１３とスクリーン側渡り部１４との境界部分で、長手部１３および渡り部１４の一部を主ループの内側に向けて屈曲させ、略Ｌ字状の屈曲部分１７を形成している。屈曲部分１７は、コイル枠９の内面に管軸方向に突出するように設けられた係止片１５によって固定されている。
【００３０】
上記のように構成された偏向ヨークは、従来の偏向ヨークの水平偏向コイルの一部に、該コイルとは逆極性の磁界を発生する小ループ部分を設けたものと磁気的に等価な構成となる。これは図７（ａ）に示すように、主ループ１８の巻線と小ループ部分１２の巻線とが近接する部分では、互いに逆方向の電流が流れるため、双方の電流が互いの作用を打ち消し合い、結果として図７（ｂ）のように該部分には電流が存在しないものとみなすことができるためである。
【００３１】
従って屈曲部分の作用は上記実施の形態１に記載の小ループ部分の作用と同様であり、スクリーン四隅部でのミスコンバーゼンスを局所的に補正することができる。
【００３２】
また、このような構成とすることで、巻回作業が簡単になるため製造が容易になる。
なお、屈曲させる巻線としては、必ずしも長手部と渡り部の境界に一致するものを選択する必要はないが、上記境界に一致するものを選ぶことにより巻き線形状が単純化できる。
【００３３】
実施の形態５．
なお、図８（ａ）、（ｂ）にそれぞれ正面図および下面図で示すように、屈曲部分１７を有する巻線と屈曲部分を有しない巻線とを組み合わせた構成とすることも可能である。このような構成とすることで、屈曲部分１７を有する巻線と屈曲部分を有しない巻線との巻数配分を変えることでミスコンバーゼンス補正量を調整することができる。
【００３４】
【発明の効果】
以上のように、本発明の第１の構成によれば、インライン方式のカラー陰極線管に使用され、電子銃からスクリーン側に広がるラッパ状に形成されたコイル枠に鞍型に巻回された水平偏向コイルを備える偏向ヨークにおいて、偏向ヨークのスクリーン側で、かつ、スクリーンの四隅部に到達するビームの通過する位置に近接し、陰極線管の管軸を含む水平面からみて管軸を中心とする角度３０〜５０°の位置に、水平偏向コイルの一部を該コイルの巻回方向に対して逆方向に巻回して形成した小ループ部分を設けたので、スクリーン四隅部のミスコンバーゼンスを適切な位置で局所的に補正し、コンバーゼンスを向上することができる。
【００３６】
本発明の第２の構成によれば、第１の構成において、小ループ部分は、水平偏向コイルの長手部の一部を巻回して形成し、主ループに内接または外接する位置に設けたので、小ループ部分を他の巻線との干渉を避けながら適切な位置に設けることができ、適切なミスコンバーゼンス補正を得ることができる。
【００３７】
本発明の第３の構成によれば、インライン方式のカラー陰極線管に使用され、電子銃からスクリーン側に広がるラッパ状に形成されたコイル枠に鞍型に巻回された水平偏向コイルを備える偏向ヨークにおいて、偏向ヨークのスクリーン側で、かつ、スクリーンの四隅部に到達するビームの通過する位置に近接させて、水平偏向コイルの長手部と渡り部の境界部分で長手部および渡り部の一部を該コイルループの内側に向けて屈曲させ、略Ｌ字状に形成した屈曲部分を設けたので、スクリーン四隅部のミスコンバーゼンスを局所的に補正し、コンバーゼンスを向上することができるのに加え、製造が容易である。
【００３８】
本発明の第４の構成によれば、第３の構成において、屈曲部分は、偏向ヨークのスクリーン側で、かつ、陰極線管の管軸を含む水平面からみて管軸を中心とする角度３０〜５０°の位置に設けたので、スクリーン四隅部のミスコンバーゼンスを適切な位置で局所的に補正し、コンバーゼンスを向上することができる。
【００３９】
本発明の第５の構成によれば、第３または第４の構成において、屈曲部分は、屈曲部分を有しないコイルループと組み合わせて構成したので、屈曲部分を有する巻線と屈曲部分を有しない巻線との巻数配分を適切に設定することができ、適正量のミスコンバーゼンス補正効果を得ることができる。
【図面の簡単な説明】
【図１】本発明の実施の形態１による偏向ヨークの水平偏向装置の上半分を示す構成図である。
【図２】実施の形態１の巻線方向を示し、（ａ）は正面図、（ｂ）は下面図である。
【図３】小ループ部分の作用を説明する図である。
【図４】本発明の実施の形態２による偏向ヨークの要部を示し、（ａ）は正面図、（ｂ）は下面図である。
【図５】本発明の実施の形態３による偏向ヨークの要部を示し、（ａ）は正面図、（ｂ）は下面図である。
【図６】本発明の実施の形態４による偏向ヨークの水平偏向装置の上半分を示す構成図である。
【図７】実施の形態４の屈曲部分およびこれと等価な小ループ部分を示す図である。
【図８】本発明の実施の形態３による偏向ヨークの要部を示し、（ａ）は正面図、（ｂ）は下面図である。
【図９】一般的なカラー陰極線管の水平断面図である。
【図１０】斉一磁界によるミスコンバーゼンスを説明する図である。
【図１１】ピンおよびバレル磁界によるミスコンバーゼンスを説明する図である。
【図１２】水平偏向ピン磁界によるミスコンバーゼンス補正効果を説明する図である。
【図１３】垂直偏向バレル磁界によるミスコンバーゼンス補正効果を説明する図である。
【図１４】従来の水平偏向装置の要部の構成を示し、（ａ）は正面図、（ｂ）は下面図である。
【符号の説明】
１  偏向ヨーク、  ２  水平偏向コイル、  ３  垂直偏向コイル、  ４  磁性体コア、  ５  電子銃、  ６  電子ビーム、  ７  スクリーン、  ８  磁束線、
９  コイル枠、  １０  水平偏向装置、  １１  小ループ偏向コイル、  １２小ループ部分、  １３  長手部、  １４  渡り部、  １５  係止片、  １６  ローレンツ力の水平分力、  １７  屈曲部分、  １８  主ループ。
【図１】
0003552521.tif 000002
【図２】
0003552521.tif 000003
【図３】
0003552521.tif 000004
【図４】
0003552521.tif 000005
【図５】
0003552521.tif 000006
【図６】
0003552521.tif 000007
【図７】
0003552521.tif 000008
【図８】
0003552521.tif 000009
【図９】
0003552521.tif 000010
【図１０】
0003552521.tif 000011
【図１１】
0003552521.tif 000012
【図１２】
0003552521.tif 000013
【図１３】
0003552521.tif 000014
【図１４】
0003552521.tif 000015